(57)【要約】環境温度の硬化時間への影響を避け、硬化時間の定常化が図れるとともに身体サポート具の装着感を良好にし、且つ座席や椅子などのシート等に設置するための身体サポート具用バッグを提供する。本発明の身体サポート具用バッグ（１）は、押圧変形可能なクッション体を身体の部分に当接させて変形させ、その身体部分に合致した形状にクッション体を固定して使用する身体サポート具を収納するものである。このバッグ（１）は身体と当接する側の前面被覆材（２）と背面被覆材（３）とからなる袋状体である。この袋状体の少なくとも前面被覆層（２）に断熱層（５）及び／又はクッション材（６）を配置する。
2003077711.tif 000002
【特許請求の範囲】
【請求項１】
押圧変形可能なサポート部を身体の部分に当接させて変形させ、その身体部分に合致した形状に前記サポート部を固定して使用する身体サポート具を収納するバッグであって、該バッグは身体と当接する側の前面被覆材とその裏側の背面被覆材とからなる袋状体であり、この袋状体の少なくとも前面被覆材に断熱層を配置したことを特徴とする身体サポート具用バッグ。
【請求項２】
押圧変形可能なサポート部を身体の部分に当接させて変形させ、その身体部分に合致した形状に前記サポート部を固定して使用する身体サポート具を収納するバッグであって、該バッグは身体と当接する側の前面被覆材とその裏側の背面被覆材とからなる袋状体であり、この袋状体の少なくとも前面被覆材にクッション層を配置したことを特徴とする身体サポート具用バッグ。
【請求項３】
前記クッション層が少なくとも収納した前記身体サポート具の上端周縁部を覆うように配置されていることを特徴とする請求項２記載の身体サポート具用バッグ。
【請求項４】
前記前面被覆材が通気性を有することを特徴とする請求項１記載の身体サポート具用バッグ。
【請求項５】
前記前面被覆材が通気性を有することを特徴とする請求項２記載の身体サポート具用バッグ。
【請求項６】
前記背面被覆材に開口部を設けたことを特徴とする請求項１記載の身体サポート具用バッグ。
【請求項７】
前記背面被覆材に開口部を設けたことを特徴とする請求項２記載の身体サポート具用バッグ。
【請求項８】
前記背面被覆材の表面に面ファスナーを設けたことを特徴とする請求項１記載の身体サポート具用バッグ。
【請求項９】
前記背面被覆材の表面に面ファスナーを設けたことを特徴とする請求項２記載の身体サポート具用バッグ。
【発明の詳細な説明】
技術分野
本発明は、ユーザーの着座形状（体形）に合わせた形状を保持してユーザー個人の体形に応じたフィット感を得ることのできる身体サポート具を収納して座席や椅子などのシート等に設置するための身体サポート具用バッグに関する。
背景技術
座席や椅子などのシート、例えば、各種の自動車のシートは、平均的なユーザーに適合するように製作されているので、ユーザーによっては多少フィット感に欠けることがある。
このような事情に鑑み、これを解決する手段として従来から各種の身体サポート具（ランバーサポート）が提案されている。このような身体サポート具は基本的には、クッション体などの押圧変形可能なサポート部を身体の部分に当接させて変形させ、その状態で固定してその身体部分に合致した形状に前記サポート部を変形させて使用するものである。
例えば、本発明者らは、このような身体サポート具の実用性を更に追求し、ユーザーの着座形状に合わせた形状を保持することができ、且つ取り扱いも容易で簡易に構成可能とすべく、柔軟性を有するクッション体を硬化樹脂を含浸させたシート状の被覆体で被覆し、身体の部分に当接させ、その身体部分に合致した形状に硬化させて使用する身体サポート具を提案した（特開平２００１−１２８８０３号公報）。この発明のものは、簡単にユーザー個人の着座形状（体形）に形成することができ、しかもこのシートサポートは、被覆体が硬化して形状を保持するものでありながら中身は柔軟性を有するクッション体であるので、硬いだけでなく適度な柔軟性も得られて、良好なホールド性と座り心地とが得られるものであり、その上単にクッション体を硬化樹脂を含浸させた被覆体で被覆するだけで構成できるため、量産性に優れ、安価な製品を提供可能となるなどの利点を有する画期的な身体サポート具であった。
しかしながら、このような身体サポート具は、それ自体外観、触感などに劣るものであるので、触感や外観性に優れた収納バッグに包装して用いる必要があるが、この身体サポート具は、クッション体などを変形させた状態で固定するものであるので、体により押圧される中央の上端縁部では特に肉薄となりクッション体が薄くしか存在しないか、場合によってはシート状の被覆体が直接重なった硬化部分などが生じることがあり、また、このクッション体の形状の固定は湿気硬化型樹脂の硬化によるものであるので環境温度などにより硬化時間の差が大きく、さらに、湿気硬化型樹脂はそれ自身硬化の際に発熱するので形状を付与するために着座したユーザーが違和感を覚える一方、成形後においては蓄熱性が大きいので外部からの熱を吸収しやすいため使用時に冷たさを感じるなど使用上の問題点が指摘され、これらを解消できるバッグが要望されていた。
本発明は、上記課題に鑑みてなされたものであり、環境温度による硬化時間への影響を避け、硬化時間の定常化が図れるとともに身体サポート具の装着感を良好にし、且つ座席や椅子などのシート等に設置するための身体サポート具用バッグを提供することを目的とする。
発明の開示
上記の目的を達成するために、本発明の身体サポート具用バッグは、押圧変形可能なサポート部を身体の部分に当接させて変形させ、その身体部分に合致した形状に前記サポート部を固定して使用する身体サポート具を収納するバッグであって、該バッグは身体と当接する側の前面被覆材とその裏側の背面被覆材とからなる袋状体であり、この袋状体の少なくとも前面被覆材に断熱層を配置したものである。
上記の構成によれば、身体サポート具と体との間に断熱層が介在することになるので、身体サポート具に体温が奪われるのが抑制されるため、尻や腰や背中などの部分が冷えるのが防止され使用感を向上することができるようになっている。また、身体サポート具の固定は湿気硬化型樹脂の硬化などによっているが、この湿気硬化型樹脂は気温が低いと硬化に時間を要するなど環境温度の影響を受けやすい。そこで、この湿気硬化型樹脂は硬化に際し発熱することに着目し、前面被覆材に断熱層を配置することで、硬化反応の際の発熱を閉じ込めて、環境温度の影響を少なくして硬化時間の定常化を図れるようになっている。さらに、硬化反応の際の熱がユーザーに伝わり不快感を与えることがないようになっている。
また、本発明の身体サポート具用バッグは、押圧変形可能なサポート部を身体の部分に当接させて変形させ、その身体部分に合致した形状に前記サポート部を固定して使用する身体サポート具を収納するバッグであって、該バッグは身体と当接する側の前面被覆材とその裏側の背面被覆材とからなる袋状体であり、この袋状体の少なくとも前面被覆材にクッション層を配置したものである。
上記構成によれば、身体サポート具と体との間にクッション層が介在することになるので、身体サポート具と当接する尻や腰や背中などの部分の感触を向上させることができる。
また、本発明の身体サポート具用バッグは、前記クッション層が少なくとも収納した前記身体サポート具の上端周縁部を覆うように配置されているものである。このため、身体サポート具では湿気硬化型樹脂などが硬化してその形状を固定すると、縁部、特に上縁部では肉薄となりクッション体が薄くしか存在しないか、場合によってはシート状の被覆体が直接重なった硬化部分などが生じやすく、このクッション性に劣る部分が身体に当ることにより違和感が生じやすかった。そこで、クッション層を少なくとも前記身体サポート具の上端周縁部を覆うように配置することにより、この上縁部の感触が緩和されて使用感が向上したものとなっている。
さらに、本発明の身体サポート具用バッグは、前面被覆材が通気性を有するから、蒸れずに快適にしようすることができる。
さらに、本発明の身体サポート具用バッグは、背面被覆材に開口部を設けたから、開口部から身体サポート具を出し入れできる。
さらに、本発明の身体サポート具用バッグは、背面被覆材の表面に面ファスナを設けたから、面ファスナを設けたシートなどにバッグを位置決めできる。
発明を実施するための最良の形態
以下、本発明の身体サポート具用バッグの第１実施形態について、図１乃至図７を参照して詳細に説明する。図１乃至図５に示すように本実施形態の身体サポート具用バッグ１は横長な略矩形の袋状体であり、このバッグ１は身体と当接する側の前面被覆材２と車両等のシートと当接する背面被覆材３とを縫製してなり、両者の境界部にバッグ１の縁部に概ね沿ってコード４を配置してなる。そして、前面被覆材２の縦方向の寸法は背面被覆材３よりも長くなっており、これにより袋状体の上下の縁部においては、前面被覆材２が背面側にまで回り込んでおり、これに伴いコード４も背面側に位置している。
上述したようなバッグ１において、前面被覆材２は内面側より断熱層５とクッション層６と表皮材７とからなる。この断熱層５としては、特に制限はないが、例えば住友３Ｍ社製「ＴｈｉｎａｓｕｌａｔｅＯＳ−１００」を用いることができる。また、クッション層６としては特に制限はなく、ポリウレタンフォームなど種々の発泡材を用いることができ、例えば、イノアック社製「ＵＥＭ３５」を用いることができる。また、表皮材７は、身体に接触するとともに外観を構成することから外観が美麗で触感の良好なシート、ファブリックなどを用いることができ、特に通気性を有するものが好ましく、例えば、ポリエステル繊維を編んだ編地を用いることができる。前面被覆材２をこのような構成とすることにより、それ自身通気性を有するものとすることができる。一方、背面被覆材３は、通気性を有するポリエステル製のニット地などの伸縮材８により形成されており、伸縮材８は上側部８Ａと下側部８Ｂとを末端部で重ね合わせることにより横方向に開口部９を形成しており、この開口部９はファスナー１０，１０Ａにより開閉可能となっている。なお、コード４は図３に示すように表皮材７により被覆されて、前面被覆材２と背面被覆材３との間に挟在されている。また、図１乃至図５中、１１は縫製用の糸であり、１２は商標等を付すためのタグであり、１３は背面被覆材３の表面中央に長手方向が上下となるように取り付けられた位置固定用の一方の面ファスナである。そして、この例では、前面被覆材２は断熱層５とクッション層６と表皮材７とを重ね合わせている。
上述したような身体サポート具用バッグ１に収納する身体サポート具としては特に制限はなく、前述したバッグ１に過度に圧縮等することなく自然な状態で収納可能なものであれば種々のタイプのものを用いることができ、例えば、図６に示すようなものを用いることができる。この身体サポート具２１は、柔軟性を有するサポート部たるクッション体２２を硬化樹脂を含浸させたシート状の被覆体２３で被覆してなる。そして、このクッション体２２は、被覆体２３により前面側から包むように被覆されていて、背面側、特に本実施形態においては背面側の略中央で両端を重ね合わせて高さ方向に線状の重合部Ｓを形成して接合されている。また、被覆体２３は、クッション体２２の前面を被覆する手前側の上端部２３Ａと背面を被覆する手前側の上端部２３Ｂとを当接させて、介在物であるテープ２４を介して摘止手段たるステープラにより針２５で端部を摘んだ状態で接合することによりフランジ状接合部２６が形成されており、このフランジ状接合部２６によりクッション体２２の上側縁部から漸減した肉薄縁部２７が形成されているものである。上述したような身体サポート具２１において、クッション体２２は柔軟性材としてスポンジなどの柔軟性（可撓性）と通気性とを有する横長ブロック形の発泡材により構成されており、また、被覆体２３は布材に硬化樹脂を含浸させて構成したものであり、この硬化樹脂は、例えば湿気硬化ウレタンなどの水を加えるか水分を含ませるなど湿気にさらすことで短時間で硬化する性質を有するか、若しくは触媒液を加えることにより短時間で硬化する性質を有する触媒硬化型樹脂を用いるのが好ましい。このような被覆体２３としては、例えば、スリーエムヘルスケア（株）製のキャスティング製品（いわゆるシーネ等）が市販されている。このキャスティング製品は、水に浸すと短時間で強くしっかりと硬化するという性質がある。
このような身体サポート具２１は、いずれも図示しない防湿性袋に密封収納されている。従って、この収納状態では被覆体２３が湿気にさらされることがないため、硬化することを確実に防止でき、防湿性袋を開封して水を加えたり水分を含ませたり、さらに触媒液を噴霧したりするなど湿気にさらすことで被覆体２３が短時間で硬化するように構成されている。
上述したような身体サポート具２１は、上端部２３Ａ及び上端部２３Ｂが上側となるようにして前述したバッグ１に開口部９から収納し、このバッグ１を図７に示すように車両などのシート３１に配置することにより使用する。即ち、本実施形態では、ユーザーの腰部をサポートする身体サポート具として機能するようにした使用状態を示している。なお、図７中符号３２は、シート３１に長手方向が左右となるように取り付けられた位置固定用の柔軟な他方の面ファスナであり、３３はヘッドレストである。
前記構成につきその作用について説明する。まず、防湿性袋（図示せず）から身体サポート具２１を取り出し、この身体サポート具２１の被覆体２３に水を吹き付けて水分を付与した後水分を拭き取る。これにより被覆体２３に含浸している硬化樹脂が硬化し始める。そこで、ファスナー１０，１０Ａを開成して開口部９から身体サポート具２１を入れ、横長のバッグ１を立てた状態で身体サポート具２１の上端部２３Ａ及び上端部２３Ｂが上側となり、且つ表皮材７が背面側となるようにして車両などのシート３１に設置する。このとき、本実施形態においては、背面被覆材３の表中央に縦方向に一方の面ファスナ１３が取り付けられているとともに、シート３１の左右方向に柔軟な他方の面ファスナ３２が取り付けられているので、これら面ファスナ１３，３２の接合可能な範囲内であれば所望の位置にバッグ１を設置可能となっている。なお、面ファスナ１３，３２の縦、横の方向性はそれぞれ逆であってもよく、さらに、シート３１の表皮材を一方の面ファスナ１３が接合可能な素材とすることにより、シート３１の所望の位置にバッグ１を設置できるようにしてもよい。尚、面ファスナ１３，３２にはベルベットファスナなどが用いられる。
続いて、ユーザーが着座することによりバッグ１に体重をかけると身体サポート具２１が押圧変形して、所定時間をこのまま維持することで被覆体２３がこの押圧変形した形を維持して硬化し、この固化層（被覆体２３）によってクッション体２２が変形した状態に保たれる。
このようにして短時間で簡単にユーザー個人の着座形状に対応して身体サポート具２１及び前面被覆材２を変形させ、この身体サポート具２１のシート３１側に接している側及び背面被覆材３をシート３１に合った形状で滑らかに変形して固体化するため、シート３１に対して位置ズレしにくい状態で設置できる。
上述したような身体サポート具２１においては、クッション体２２をユーザーに適合した形状に変形させて被覆体２３を硬化させているので、被覆体２３の上側縁部ではクッション体２２が矮小化し、場合によっては被覆体２３どうしが直接接触して硬化することでクッション性に乏しい硬化部分を生じ、この箇所が背中や腰部等に当接することが違和感の原因となっていた。しかしながら、本実施形態においてはこの身体サポート具２１を収納するバッグ１の前面被覆材２の縦方向の寸法が背面被覆材３よりも長くなっていて、身体サポート具２１の上端周縁部を覆うように背面側にまで回り込んでおり、そしてこの前面被覆材２にクッション層６が配置されているので、身体への違和感が緩和されている。
また、被覆体２３に含浸させた湿気硬化型樹脂は、硬化時に発熱するが、この熱が形状を付与するために着座したユーザーに伝わり腰部等に不快感を与えることがあった。さらに、湿気硬化型樹脂は、外気温により硬化時間に差異を生じ、温度が高い方が短時間で硬化する一方、低温では硬化に長時間を要するという問題点もあった。そこで、本発明者は、これらの問題点を同時に解決する手段として、身体サポート具用バッグ１の前面被覆材２に断熱層５を配置することで、硬化反応の際の発熱を閉じ込めて外気の要因によらず身体サポート具２１の形状固定までの時間の定常化を図るとともに、硬化時に発生した熱がユーザー側にまで伝わらないようにしたのである。
さらに、身体サポート具用バッグ１の成形後においては、身体サポート具２１は、通常のクッション材と比べて比熱が大きいので、従来は冬季などにおいては着座したユーザーの体温を奪って腰冷えを招くおそれがあり、しかもなかなか温まらないのが現状であった。しかしながら、本実施形態においては、身体サポート具用バッグ１の前面被覆材２に断熱層５を配置することで、身体サポート具２１側に体温が逃げるのが抑制されるという効果も奏する。その上、本実施形態においては、前面被覆材２を構成する断熱層５、クッション層６及び表皮材７と、背面被覆材３を構成する伸縮材８とをいずれも通気性を有する素材とすることで、蒸れずに快適に使用することができるようになっている。
以上、本発明の身体サポート具用バッグについて添付図面を参照して説明してきたが、本発明は前記第１実施形態に限定されず種々の変形実施が可能である。例えば、図１０及び図１１は、本発明の第２実施形態を示し、前記第１実施形態においては、断熱層５とクッション層６とを別々に配置したが、発泡体などの中には断熱性とクッション性の両方を兼ね備える素材もあるので、このような素材を用いることにより、断熱層５とクッション層６とを統合して断熱層の機能を有する断熱性クッション層６Ａの一層とすることも可能である。また、表皮材７に断熱性とクッション性を備えた素材のものを用いてもよく、この場合は前面被覆材２を表皮材７の一層とすることも可能である。
さらに、身体サポート具２１としては前記実施形態のような態様のものに限らず、また、その形状も特に限定されない。またバッグ１自体も身体サポート具２１に対応して種々の形状とすることができる。
以下の具体的実施例に基き本発明をより詳細に説明する。
実施例１
幅４６０ｍｍ、高さ２７０ｍｍ、収納時の厚さ約４０ｍｍで図１乃至図５に示すような形状で前面被覆材２が断熱層５とクッション層６（ポリウレタンフォーム）と表皮材７とからなり、背面被覆材３が伸縮材８（ポリエステル製のニット地）により形成されたバッグ１に、水分を含ませた厚さ４０ｍｍの身体サポート具２１を収納して、身体サポート具用バッグの上からＬ型金具で身体サポート具２１を厚さ２０ｍｍに押さえつけ、２３℃の雰囲気に維持して１０分ごとにＬ型金具を外して身体サポート具２１の厚さの変化を測定した。結果を図８のグラフに示す。なお、本実験例においては２１ｍｍを安定硬化寸法とした。
図８から明らかなとおり、実施例１の身体サポート具用バッグ１では、安定硬化寸法となるまでに２３℃で約３０分かかるのがわかる。
実施例２
実施例１で使用したバッグ１に、水分を含ませた厚さ２７ｍｍの身体サポート具２１を収納して、図７に示すように車両のシートに設置し、雰囲気温度を２３℃に維持して身体サポート具２１の前面側の中央部分と前面側の左中央部分と背面側の左中央部分の温度を断続的に測定した。結果を図９のグラフに示す。
図９から明らかなとおり、本実施例のバッグ１により、身体サポート具２１の温度が雰囲気温度より高温に維持されており、具体的には前面側の中央部分で４０℃以上、前面側の左中央部分で約３７℃、背面側の左中央部分で約３８℃に維持されていた。これは、湿気硬化型樹脂の硬化に伴う発熱を断熱層５が保持するためである。また、これにより背面側と前面側との間の温度差も減少しているのがわかる。さらに、これらにより硬化時間の定常化が可能となる。一方、着座する側となるバッグ１の前面では体感できるほどの温度の上昇は認められず、形状付与のために着座しても違和感がなかった。
本発明は、押圧変形可能なサポート部たるクッション体２２を身体の部分に当接させて変形させ、その身体部分に合致した形状にクッション体２２を固定して使用する身体サポート具２１を収納するバッグ１であって、該バッグ１は身体と当接する側の前面被覆材２とその裏側の背面被覆材３とからなる袋状体であり、この袋状体の少なくとも前面被覆材２に断熱層５を配置したものであるので、身体サポート具２１に体温が奪われるのが抑制されるため、尻や腰や背中などの部分が冷えるのが防止され使用感を向上することができるようになっている。また、身体サポート具１の固定は湿気硬化型樹脂の硬化などによっているが、この湿気硬化型樹脂は気温が低いと硬化に時間を要するなど環境温度の影響を受けやすい。そこで、この湿気硬化型樹脂は硬化に際し発熱することに着目し、前面被覆材２に断熱層５を配置することで、硬化反応の際の発熱を閉じ込めて、環境温度の影響を少なくして硬化時間の定常化を図れるようになっている。さらに、硬化の際の熱がユーザーに伝わり不快感を与えることがないようになっている。
また、袋状体の少なくとも前面被覆材５にクッション層６を配置したものであるので、身体サポート具２１と体との間にクッション層６が介在することになるため、身体サポート具２１との当接する尻や腰や背中などの部分の感触を向上させることができる。
また、クッション層６が少なくとも収納した身体サポート具２１の上端周縁部を覆うように配置されているものであるので、身体サポート具２１では湿気硬化型樹脂などが硬化してその形状を固定すると、縁部、特に上縁部では肉薄となりクッション体２２が薄くしか存在しないか、場合によってはシート状の被覆体２３が直接重なった硬化部分などが生じやすく、このクッション性に劣る部分が身体に当ることにより違和感が生じやすかったが、クッション層６を少なくとも身体サポート具２１の上端周縁部を覆うように配置することにより、この上縁部の感触が緩和されて使用感の向上したものとなっている。
また、クッション層６が前面被覆材２の全域に配置されていて、該前面被覆材２が背面側にまで延在するように背面被覆材３よりも広く形成されているものであるので、身体サポート具２１では縁部、特に上縁部では肉薄となりこのクッション性に劣る部分が身体に当ることにより違和感が生じやすかったが、クッション層６を前面被覆材２の全域に配置し、この前面被覆材２を背面側にまで延在するように広く形成することにより、この上縁部の感触が緩和されて使用感の向上したものとなっている。
また、クッション層６Ａが断熱層としての機能を有するものであるので、身体サポート具２１に体温が奪われるのが抑制されるため、尻や腰や背中などの部分が冷えるのが防止され使用感を向上することができるようになっている。また、身体サポート具２１の固定は湿気硬化型樹脂の硬化などによっているが、この湿気硬化型樹脂は気温が低いと硬化に時間を要するなど環境温度の影響を受けやすい。そこで、この湿気硬化型樹脂は硬化に際し発熱することに着目し、前面被覆材２に断熱層５を配置することで、硬化反応の際の発熱を閉じ込めて、環境温度の影響を少なくして硬化時間の定常化を図れるようになっている。さらに、硬化の際の熱がユーザーに伝わり不快感を与えることがないようになっている。
さらに、前面被覆材２が通気性を有するから、蒸れずに快適に使用することができる。また、背面被覆材３に開口部９を設けたから、身体部分を当てる前面被覆材２には影響なく、開口部９を大きく形成することができ、その開口部９から身体サポート具２１の出し入れを簡便に行うことができる。また、背面被覆材３の表面に面ファスナ１３を設けたから、面ファスナ１３を設けたシート３１などにバッグ１を位置決めでき、身体形状に添ったバッグ配置を容易に再現できる。
【図面の簡単な説明】
図１は、本発明の第１実施形態による身体サポート具用バッグを示す正面図である。
図２は、同上、前記身体サポート具用バッグを示す背面図である。
図３は、同上、図１のＡ−Ａ拡大断面図である。
図４は、同上、図１のＢ−Ｂ拡大断面図である。
図５は、同上、図２のＣ−Ｃ拡大断面図である。
図６は、同上、前記身体サポート具用バッグを利用可能な身体サポート具を示す斜視図である。
図７は、同上、前記身体サポート具用バッグの使用状態を示す斜視図である。
図８は、同上、前記身体サポート具用バッグの２３℃での硬化状態を示すグラフである。
図９は、同上、前記身体サポート具用バッグの各所における身体サポート具の硬化時の温度を示すグラフである。
図１０は、本発明の第２実施形態による身体サポート具用バッグの上端周縁部側の断面図である。
図１１は、同上、身体サポート具用バッグの周縁部側の断面図である。
【図１】
2003077711.tif 000003
【図２】
2003077711.tif 000004
【図３】
2003077711.tif 000005
【図４】
2003077711.tif 000006
【図５】
2003077711.tif 000007
【図６】
2003077711.tif 000008
【図７】
2003077711.tif 000009
【図８】
2003077711.tif 000010
【図９】
2003077711.tif 000011
【図１０】
2003077711.tif 000012
【図１１】
2003077711.tif 000013
【手続補正書】
【提出日】平成16年1月21日(2004.1.21)
【手続補正００１】
【補正対象書類名】特許請求の範囲
【補正対象項目名】全文
【補正方法】変更
【補正の内容】
【特許請求の範囲】
【請求項１】
柔軟性を有するクッション体を硬化樹脂を含浸させたシート状の被覆体で被覆し、身体の部分に当接させてその身体部分に合致した形状に前記クッション体を変形させて前記被覆体を硬化させて使用する身体サポート具を収納するバッグであって、該バッグは身体と当接する側の前面被覆材とその裏側の背面被覆材とからなる袋状体であり、この袋状体の少なくとも前面被覆材に断熱層を配置したことを特徴とする身体サポート具用バッグ。
【請求項２】
柔軟性を有するクッション体を硬化樹脂を含浸させたシート状の被覆体で被覆し、身体の部分に当接させてその身体部分に合致した形状に前記クッション体を変形させて前記被覆体を硬化させて使用する身体サポート具を収納するバッグであって、該バッグは身体と当接する側の前面被覆材とその裏側の背面被覆材とからなる袋状体であり、この袋状体の少なくとも前面被覆材にクッション層を配置したことを特徴とする身体サポート具用バッグ。
【請求項３】
前記クッション層が少なくとも収納した前記身体サポート具の上端周縁部を覆うように配置されていることを特徴とする請求項２記載の身体サポート具用バッグ。
【請求項４】
前記前面被覆材が通気性を有することを特徴とする請求項１記載の身体サポート具用バック。
【請求項５】
前記前面被覆材が通気性を有することを特徴とする請求項２記載の身体サポート具用バック。
【請求項６】
前記背面被覆材に開口部を設けたことを特徴とする請求項１記載の身体サポート具用バック。
【請求項７】
前記背面被覆材に開口部を設けたことを特徴とする請求項２記載の身体サポート具用バック。
【請求項８】
前記背面被覆材の表面に面ファスナーを設けたことを特徴とする請求項１記載の身体サポート具用バック。
【請求項９】
前記背面被覆材の表面に面ファスナーを設けたことを特徴とする請求項２記載の身体サポート具用バック。
【手続補正００２】
【補正対象書類名】明細書
【補正対象項目名】０００２
【補正方法】変更
【補正の内容】
【０００２】
する画期的な身体サポート具であった。
しかしながら、このような身体サポート具は、それ自体外観、触感などに劣るものであるので、触感や外観性に優れた収納バッグに包装して用いる必要があるが、この身体サポート具は、クッション体などを変形させた状態で固定するものであるので、体により押圧される中央の上端縁部では特に肉薄となりクッション体が薄くしか存在しないか、場合によってはシート状の被覆体が直接重なった硬化部分などが生じることがあり、また、このクッション体の形状の固定は湿気硬化型樹脂の硬化によるものであるので環境温度などにより硬化時間の差が大きく、さらに、湿気硬化型樹脂はそれ自身硬化の際に発熱するので形状を付与するために着座したユーザーが違和感を覚える一方、成形後においては蓄熱性が大きいので外部からの熱を吸収しやすいため使用時に冷たさを感じるなど使用上の問題点が指摘され、これらを解消できるバッグが要望されていた。
本発明は、上記課題に鑑みてなされたものであり、環境温度による硬化時間への影響を避け、硬化時間の定常化が図れるとともに身体サポート具の装着感を良好にし、且つ座席や椅子などのシート等に設置するための身体サポート具用バッグを提供することを目的とする。
発明の開示
上記の目的を達成するために、本発明の身体サポート具用バックは、柔軟性を有するクッション体を硬化樹脂を含浸させたシート状の被覆体で被覆し、身体の部分に当接させてその身体部分に合致した形状に前記クッション体を変形させて前記被覆体を硬化させて使用する身体サポート具を収納するバッグであって、該バッグは身体と当接する側の前面被覆材とその裏側の背面被覆材とからなる袋状体であり、この袋状体の少なくとも前面被覆材に断熱材を配置したものである。
上記の構成によれば、身体サポート具と体との間に断熱材が介在することになるので、身体サポート具に体温が奪われるのが抑制されるため、尻や腰や背中などの部分が冷えるのが防止され使用感を向上することができるようになっている。また、身体サポート具の固定は湿気硬化型樹脂の硬化などによっているが、この湿気硬化型樹脂は気温が低いと硬化に時間を要するなど環境温度の影響を受け


【手続補正００３】
【補正対象書類名】明細書
【補正対象項目名】０００３
【補正方法】変更
【補正の内容】
【０００３】
やすい。そこで、この湿気硬化型樹脂は硬化に際し発熱することに着目し、前面被覆材に断熱材を配置することで、硬化反応の際の発熱を閉じ込めて、環境温度の影響を少なくして硬化時間の定常化を図れるようになっている。さらに、硬化反応の際の熱がユーザーに伝わり不快感を与えることがないようになっている。
また、本発明の身体サポート具用バッグは、柔軟性を有するクッション体を硬化樹脂を含浸させたシート状の被覆体で被覆し、身体の部分に当接させてその身体部分に合致した形状に前記クッション体を変形させて前記被覆体を硬化させて使用する身体サポート具を収納するバッグであって、該バッグは身体と当接する側の前面被覆材とその裏側の背面被覆材とからなる袋状体であり、この袋状体の少なくとも前面被覆材にクッション材を配置したものである。
上記構成によれば、身体サポート具と体との間にクッション材が介在することになるので、身体サポート具と当接する尻や腰や背中などの部分の感触を向上させることができる。
また、本発明の身体サポート具用バッグは、前記クッション材が少なくとも収納した前記身体サポート具の上端周縁部を覆うように配置されているものである。このため、身体サポート具では湿気硬化型樹脂などが硬化してその形状を固定すると、縁部、特に上縁部では肉薄となりクッション体が薄くしか存在しないか、場合によってはシート状の被覆体が直接重なった硬化部分などが生じやすく、このクッション性に劣る部分が身体に当ることにより違和感が生じやすかった。そこで、クッション材を少なくとも前記身体サポート具の上端周縁部を覆うように配置することにより、この上縁部の感触が緩和されて使用感が向上したものとなっている。
さらに、本発明の身体サポート具用バックは、前面被覆材が通気性を有するから、蒸れずに快適にしようすることができる。
さらに、本発明の身体サポート具用バックは、背面被覆材に開口部を設けたから、開口部から身体サポート具を出し入れできる。
さらに、本発明の身体サポート具用バックは、前記背面被覆材の表面に面ファスナを設けたから、面ファスナを設けたシートなどにバックを位置決めできる。
図面の簡単な説明




【国際調査報告】
2003077711.tif 000014
2003077711.tif 000015